(57)【要約】  マルチホップワイヤレス通信システムにおいて使用する送信方法であって、前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記システムは、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、前記装置のうちの第１の装置から第２の装置への送信時間に使用する予約情報を送信する段階であって、前記第２の装置は前記中間装置の１つであり、前記予約情報は前記送信時間で予約すべき少なくとも１つの送信ウィンドウを指定する段階と、前記第２の装置において、受信した予約情報に応じて、前記送信時間の指定されたウィンドウを予約する段階とを含む方法。
2010502074.tif 000002
【特許請求の範囲】
【請求項１】
マルチホップワイヤレス通信システムにおいて使用する送信方法であって、前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記システムは、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置から第２の装置への送信時間に使用する予約情報を送信する段階であって、前記第２の装置は前記中間装置の１つであり、前記予約情報は前記送信時間で予約すべき少なくとも１つの送信ウィンドウを指定する段階と、
前記第２の装置において、受信した予約情報に応じて、前記送信時間の指定されたウィンドウを予約する段階とを含む方法。
【請求項２】
前記第１の装置は前記送信元装置である、請求項１に記載の送信方法。
【請求項３】
前記システムは少なくとも２つの中間装置を含み、前記第１の装置は前記中間装置の一方である、請求項１に記載の送信方法。
【請求項４】
前記第２の装置は前記第１の装置から前記一通信方向に前記経路に沿ってある、請求項１ないし３いずれか一項に記載の方法。
【請求項５】
前記システムは２つ以上の中間装置を有し、前記方法は、
前記予約情報を前記第２の装置を含む各中間装置に送信する段階と、
各中間装置において、受信した予約情報に応じて、前記送信時間の指定されたウィンドウを予約する段階とを含む、請求項１ないし４いずれか一項に記載の方法。
【請求項６】
前記第２の装置または前記中間装置における予約の結果として、前記装置が前記指定ウィンドウにおける他の送信と干渉しないように、前記送信時間の指定ウィンドウにおいて前記装置からの送信をしない段階を含む、請求項１ないし５いずれか一項に記載の方法。
【請求項７】
前記第２の装置または前記中間装置における予約の結果として、前記送信時間の指定ウィンドウにおいて前記装置から非情報搬送信号を送信する段階を含む、請求項１ないし５いずれか一項に記載の送信方法。
【請求項８】
ＰＡＰＲ低減方法において使用する前記非情報搬送信号を送信する段階を含む、請求項７に記載の送信方法。
【請求項９】
前記予約情報は制御情報であり、送信時間の所定ウィンドウにおいて前記第１の装置から前記第２の装置に送信される、請求項１ないし８いずれか一項に記載の方法。
【請求項１０】
前記送信時間の直前の送信時間に前記予約情報を送信する段階を含む、請求項１ないし９いずれか一項に記載の方法。
【請求項１１】
前記送信時間に前記予約情報を送信する段階を含む、請求項１ないし１０いずれか一項に記載の送信方法。
【請求項１２】
前記第１の装置からの前記予約情報の送信の前に、前記第１の装置が予約プロセスが要求されているか決定する段階と、
前記決定の結果に応じて、前記予約情報の送信を実行する段階とを含む、請求項１ないし１１いずれか一項に記載の送信方法。
【請求項１３】
前記第１の装置からの前記予約情報の送信の前に、前記第１の装置が予約情報の内容を判断する段階をさらに含む、請求項１ないし１２いずれか一項に記載の送信方法。
【請求項１４】
前記予約情報は前記送信時間を含む複数の送信時間で使用され、前記方法は前記複数の送信時間の各々の前記予約を実行する段階を含む、請求項１ないし１３いずれか一項に記載の送信方法。
【請求項１５】
前記複数の送信時間は連続した送信時間である、請求項１４に記載の送信方法。
【請求項１６】
前記予約情報は継続的な予約情報であり、前記方法は、前記継続的予約情報をキャンセルするデ・アロケーション情報を受信するまで、前記複数の送信時間の予約を順次実行する段階を含む、請求項１４または１５に記載の送信方法。
【請求項１７】
前記第２の装置に、場合によって各中間装置に、前記第１の装置から前記デ・アロケーション情報を送信する段階を含む、請求項１６に記載の送信方法。
【請求項１８】
システム情報に応じて前記第１の装置から前記デ・アロケーション情報をいつ送信するか決定する段階と、
その決定の結果に応じて前記デ・アロケーション情報を送信する段階とを含む、
請求項１７に記載の送信方法。
【請求項１９】
前記通信方向はダウンリンク方向であり、
前記送信先装置は、前記中間装置を介して前記送信元装置に前記通信経路に沿って前記ダウンリンク方向と逆のアップリンク方向で情報を送信でき、
前記中間装置は、前記経路に沿って前記アップリンク方向で前段装置から情報を受信し、前記経路に沿って前記アップリンク方向で後段装置に受信情報を送信するように動作可能であり、
前記時間周波数フォーマットは、前記アップリンク方向での送信に利用できる送信周波数帯域幅の割り当てにも使用される、請求項１ないし１８いずれか一項に記載の送信方法。
【請求項２０】
前記第２の装置における予約の結果として、前記第１の装置からの前記通信方向の前記経路に沿って位置する第３の装置からの送信を制御する、請求項１９に記載の送信方法。
【請求項２１】
前記制御は、前記第３の装置が前記送信時間の指定ウィンドウで送信しないように制御するものである、請求項２０に記載の送信方法。
【請求項２２】
前記制御は、前記第３の装置が前記送信時間の指定ウィンドウで非情報搬送信号を送信するように制御するものである、請求項２０に記載の送信方法。
【請求項２３】
前記第３の装置から送信される前記非情報搬送信号は、ＰＡＰＲ低減方法で利用される、請求項２２に記載の送信方法。
【請求項２４】
前記制御は、前記第３の装置が前記送信時間の指定ウィンドウでサウンディング方法に使用する既知の信号を送信するように制御するものである、請求項２０に記載の送信方法。
【請求項２５】
前記第２の装置から前記第３の装置に命令を送信することにより前記制御を行う、請求項２０ないし２４いずれか一項に記載の送信方法。
【請求項２６】
前記第３の装置は前記送信先装置である、請求項２０ないし２５いずれか一項に記載の送信方法。
【請求項２７】
前記第１の装置からの前記予約情報の送信の前に、前記第２の装置から前記第１の装置に、かかる予約情報の要求を送信する段階をさらに含む、請求項１９ないし２６いずれか一項に記載の送信方法。
【請求項２８】
前記予約情報は予約する少なくとも２つの送信ウィンドウを指定し、前記送信ウィンドウの一方は前記ダウンリンク方向の送信用であり、他方は前記アップリンク方向の送信用である、請求項１９ないし２７いずれか一項に記載の送信方法。
【請求項２９】
前記第２の装置は、前記送信元装置から前記経路に沿った前記装置の少なくとも１つに、かかる送信時間に、かかる送信ウィンドウのアロケーションを行う、請求項１ないし２８いずれか一項に記載の送信方法。
【請求項３０】
前記予約情報は第１の予約情報であり、前記送信時間は第１の送信時間であり、前記方法は、さらに、
前記第１の予約情報の送信の後、前記第２の装置に前記第１の装置から前記第１の送信時間の後の第２の送信時間に使用する、前記第１の予約情報とは異なる第２の予約情報を送信する段階と、
前記第２の装置において、受信した第２の予約情報に応じて、前記第２の送信時間の指定されたウィンドウを予約する段階とを含む、請求項１ないし２９いずれか一項に記載の送信方法。
【請求項３１】
前記第２の送信時間内に前記第２の予約情報により指定された少なくとも１つのウィンドウの位置は、前記第１の送信時間内の前記第１の予約情報により指定された少なくとも１つのウィンドウの位置とは異なる、請求項３０に記載の送信方法。
【請求項３２】
前記時間周波数フォーマットは、時間分割多重または周波数分割多重通信システムにおけるダウンリンク及び／またはアップリンクサブフレームのフォーマットである、請求項１ないし３１いずれか一項に記載の送信方法。
【請求項３３】
前記システムはＯＦＤＭまたはＯＦＤＭＡシステムであり、前記時間周波数フォーマットはＯＦＤＭまたはＯＦＤＭＡ時間分割多重フレームのＯＦＤＭまたはＯＦＤＭＡダウンリンク及び／またはアップリンクサブフレームのフォーマットである、請求項１ないし３２いずれか一項に記載の送信方法。
【請求項３４】
各離散送信時間はサブフレーム期間である、請求項１ないし３３いずれか一項に記載の送信方法。
【請求項３５】
各送信ウィンドウはＯＦＤＭまたはＯＦＤＭＡフレーム構成の領域である、請求項１ないし３４いずれか一項に記載の送信方法。
【請求項３６】
各送信ウィンドウはＯＦＤＭまたはＯＦＤＭＡフレーム構成のゾーンを含む、請求項１ないし３５いずれか一項に記載の送信方法。
【請求項３７】
前記送信元装置は基地局である、請求項１ないし３６いずれか一項に記載の送信方法。
【請求項３８】
前記送信元装置はユーザ端末である、請求項１ないし３６いずれか一項に記載の送信方法。
【請求項３９】
前記送信先装置は基地局である、請求項１ないし３８いずれか一項に記載の送信方法。
【請求項４０】
前記送信先装置はユーザ端末である、請求項１ないし３９いずれか一項に記載の送信方法。
【請求項４１】
前記中間装置は中継局である、請求項１ないし４０いずれか一項に記載の送信方法。
【請求項４２】
マルチホップワイヤレス通信システムであって、
前記システムは送信元装置と、送信先装置と、１つまたは複数の中間装置とを有し、
前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、
前記システムは、離散的な送信時間において前記一通信方向での送信に利用できる送信周波数帯域を割り当てるのに使用する時間・周波数フォーマットにアクセス可能するように動作可能なアクセス手段を有し、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、
前記システムは、前記装置のうちの第１の装置に設けられた、前記装置のうちの第１の装置から第２の装置への送信時間に使用する予約情報を送信する送信手段であって、前記第２の装置は前記中間装置の１つであり、前記予約情報は前記送信時間で予約すべき少なくとも１つの送信ウィンドウを指定する送信手段と、
前記第２の装置に設けられた、前記第２の装置において、受信した予約情報に応じて、前記送信時間の指定されたウィンドウを予約する予約手段とを含むシステム。
【請求項４３】
マルチホップワイヤレス通信システムのコンピューティング装置において実行されると、前記システムに送信方法を実行させるコンピュータプログラムであって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記システムは、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置から第２の装置への送信時間に使用する予約情報を送信する段階であって、前記第２の装置は前記中間装置の１つであり、前記予約情報は前記送信時間で予約すべき少なくとも１つの送信ウィンドウを指定する段階と、
前記第２の装置において、受信した予約情報に応じて、前記送信時間の指定されたウィンドウを予約する段階とを含むコンピュータプログラム。
【請求項４４】
マルチホップワイヤレス通信システムの一中間装置において使用する送信方法であって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置からかかる送信時間に使用する、前記送信時間の予約すべき少なくとも１つの送信ウィンドウを指定する予約情報を受信する段階と、
受信した予約情報に応じて、前記送信時間の指定されたウィンドウを予約する段階とを含む方法。
【請求項４５】
マルチホップワイヤレス通信システムの一中間装置であって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、
離散的な送信時間において前記一通信方向での送信に利用できる送信周波数帯域を割り当てるのに使用する時間・周波数フォーマットにアクセス可能するように動作可能なアクセス手段を有し、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、
各ウィンドウは送信に使用する前記装置の１つへの送信時間に割り当て可能であり、
前記装置のうちの第１の装置からかかる送信時間に使用する、前記送信時間の予約すべき少なくとも１つの送信ウィンドウを指定する予約情報を受信手段と、
受信した予約情報に応じて、前記送信時間の指定されたウィンドウを予約する予約手段とを含む装置。
【請求項４６】
マルチホップワイヤレス通信システムの一中間装置のコンピューティング装置において実行されると、前記一中間装置に送信方法を実行させるコンピュータプログラムであって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置からかかる送信時間に使用する、前記送信時間の予約すべき少なくとも１つの送信ウィンドウを指定する予約情報を受信する段階と、
受信した予約情報に応じて、前記送信時間の指定されたウィンドウを予約する段階とを含むコンピュータプログラム。
【請求項４７】
明細書に記載、または図面に図示した実施形態の方法、システム、中間装置、コンピュータプログラム。
【発明の詳細な説明】
【背景技術】
【０００１】
カバレッジ範囲の拡大とシステム容量（スループット）の増大の両方が可能であるとして、パケットベースの無線（radio）システム等においてマルチホップ方式の利用が現在注目を集めている。
【０００２】
マルチホップ通信システムでは、送信元装置から１つまたはそれ以上の中間装置を介して送信先装置に至る通信経路（Ｃ）に沿って一通信方向に通信信号を送信する。図６は、単一セル、ツー（２）ホップ・ワイヤレス通信システムを示す。このシステムは、基地局ＢＳ（第３世代通信システムでは「ノードＢ（ＮＢ）」として知られている）と、中継ノードＲＮ（中継局ＲＳとしても知られている）と、ユーザ装置ＵＥ（移動局ＭＳとしても知られている）とを含む。信号をダウンリンク（ＤＬ）で基地局から中継ノード（ＲＮ）を介して送信先のユーザ装置（ＵＥ）に送信する場合、基地局が送信元局（Ｓ）であり、ユーザ装置が送信先局（Ｄ）である。信号をアップリンク（ＵＬ）でユーザ装置（ＵＥ）から中継ノード（ＲＮ）を介して基地局に送信する場合、ユーザ装置が送信元局であり、基地局が送信先局である。中継ノードは中間装置（Ｉ）の一例であり、送信元装置からデータを受信するレシーバと、そのデータまたはそれから派生したデータを送信先装置に送信するトランスミッタとを有する。
【０００３】
従来、デッドスポット（dead  spots）のカバレッジのために、単純なアナログリピータやデジタルリピータを中継局として利用していた。これらのリピータは、送信元局とは異なる送信周波数で動作して送信元からの送信とリピータからの送信とが干渉しないようにするか、送信元局が送信していない時に動作する。
【０００４】
図７は、中継局のアプリケーションを示す図である。固定インフラストラクチャの場合、中継局が提供するカバレッジは、移動局が物の影に入ってしまい、または基地局のカバレッジ範囲内にいるが基地局から十分な信号強度を得られないときに、通信ネットワークにアクセスさせる「インフィル（in-fill）」であってもよい。移動局が基地局の通常のデータ送信範囲外にいるときにアクセスさせる「範囲拡大」も示されている。図７の右上に示したインフィルの例は、地上レベルまたはその上下におけるビル内のカバレッジを可能とするノーマディック中継局の配置である。
【０００５】
その他のアプリケーションは、イベントや緊急時・災害時にアクセスを提供する一時的カバー（temporary  cover）を発揮するノーマディック中継局である。図７の右下に示したアプリケーションは、車両に載せた中継局を用いてネットワークへのアクセスを提供する。
【０００６】
下に説明するように、中継を、通信システムのゲインを向上する高度な送信技術とともに利用してもよい。
【０００７】
無線通信の散乱や吸収により伝搬損失、すなわち「経路損失」が生じるので、信号強度は小さくなる。トランスミッタとレシーバとの間の経路損失に影響する要因には次のものがある：トランスミッタのアンテナ高さ、レシーバのアンテナの高さ、キャリア周波数、混雑具合（clutter  type）（都会、半都会、郊外）、高度等の詳細な形態、密度、セパレーション（separation）、地形（起伏がある、平地）。トランスミッタとレシーバの間の経路損失Ｌ（ｄＢ）を次式でモデル化できる：
【数１】
2010502074.tif 000003
ここで、ｄ（メートル）はトランスミッタとレシーバのセパレーション（separation）であり、ｂ（ｄｂ）とｎは経路損失パラメータであり、経路損失の絶対値はｌ＝１０（Ｌ／１０）で与えられる。
【０００８】
間接リンクＳＩ＋ＩＤで生じる絶対経路損失は、直接リンクＳＤで生じる経路損失より小さいこともあり得る。換言すると、次式が成り立つこともある：
【数２】
2010502074.tif 000004
【０００９】
１つの送信リンクを２つの短い送信セグメントに分割すれば、経路損失と距離との間の非線形関係を利用できる。式（Ａ）を用いた経路損失の簡単な理論的分析から、送信元装置から中間装置を介して送信先装置に信号を送信すると、送信元装置から送信先装置に直接送信するよりも全体的な経路損失は少なくでき、信号強度およびそれによるデータスループットの改善ができることが分かる。適切に実施すれば、マルチホップ通信システムにより、ワイヤレス送信を行うトランスミッタの送信パワーを低減することができ、干渉レベルが低くなり、電磁放射にさらされる量が減る。あるいは、全体的な経路損失が減ることにより、信号伝達に必要な放射送信パワーを増やさなくても、レシーバにおける受信信号品質が良くなる。
【００１０】
マルチホップシステムはマルチキャリア送信での利用に適している。ＦＤＭ（周波数分割多重）、ＯＦＤＭ（直交周波数分割多重）、またはＤＭＴ（離散マルチトーン）などのマルチキャリア送信システムでは、１つのデータストリームをＮ個の並列のサブキャリアに変調する。各サブキャリア信号はそれ自体の周波数範囲を有する。こうすることにより、帯域幅全体を複数のサブキャリアに分割し、各データシンボルの長さを長くすることができる。各サブキャリアの情報レートは低いので、マルチキャリアシステムはシングルキャリアシステムと比較して、チャネルに生じる歪み（channel  induced  distortion）に対する抵抗力が強いという点で利益がある。これは、各サブキャリアの送信レートと帯域幅とがそのチャネルのコヒーレンス帯域幅（coherence  bandwidth）より小さくすることにより可能となる。結果として、信号サブキャリアに生じるチャネル歪みは周波数に依存するので、簡単な位相及び振幅の補正ファクタにより補正することができる。このように、システム帯域幅がチャネルのコヒーレンス帯域幅より大きいとき、マルチキャリアレシーバ内のチャネル歪み補正部（channel  distortion  correction  entity）は、シングルキャリアレシーバ内の対応するチャネル歪み補正部より、非常に簡単なものとすることができる。
【００１１】
直交周波数分割多重（ＯＦＤＭ）はＦＤＭに基づく変調方式である。ＯＦＤＭシステムは、サブキャリアのスペクトルが相互に独立であるために干渉を起こさずにオーバーラップできるように、数学的に直交する複数のサブキャリア周波数を利用する。ＯＦＤＭシステムの直交性により、ガードバンド周波数が必要なくなり、そのためにシステムのスペクトル的効率性が高くなる。ＯＦＤＭは多くのワイヤレスシステムに提案され、受け入れられている。ＯＦＤＭは、非対称デジタル加入者線（ＡＤＳＬ）接続、一部のワイヤレスＬＡＮアプリケーション（例えば、ＩＥＥＥ８０２．１１ａ／ｇ標準に基づくＷｉＦｉデバイス）、（ＩＥＥＥ８０２．１６標準に基づく）ＷｉＭＡＸ等の一部のワイヤレスＭＡＮアプリケーションで現在使用されている。ＯＦＤＭは、エラー訂正方法であるチャネルコーディングとともにしばしば用いられ、コード化直交ＦＤＭすなわちＣＯＦＤＭとなる。ＣＯＦＤＭは今日デジタル電気通信システムで広く用いられ、周波数領域のサブキャリアと時間領域のシンボルの両方にわたりチャネル歪みの変化があるマルチパス環境において、ＯＦＤＭベースシステムの性能を向上させている。本システムはビデオやオーディオのブロードキャスト（例えばＤＶＢやＤＡＢ）やある種のコンピュータネットワーク技術で使用できる。
【００１２】
ＯＦＤＭシステムでは、トランスミッタにおいて、Ｎ個の変調パラレルデータソース信号のブロックを逆離散フーリエ変換（ＩＤＦＴ）アルゴリズムまたは逆高速フーリエ変換（ＩＦＦＴ）を用いることにより、Ｎ個の直交パラレルサブキャリアにマッピングし、時間領域の「ＯＦＤＭシンボル」として知られる信号を形成する。このように、「ＯＦＤＭシンボル」はＮ個のサブキャリア信号すべてを合成した信号である。ＯＦＤＭシンボルは数学的には次式で表せる：
【数３】
2010502074.tif 000005
ここで、ΔｆはＨｚ単位のサブキャリアのセパレーションであり、Ｔｓ＝１／Δｆは秒単位のシンボル時間であり、ｃｎは変調ソース信号である。各ソース信号で変調される式（１）のサブキャリアベクトルはｃ∈Ｃｎであり、ｃ＝（ｃ０，ｃ１．．ｃＮ−１）は有限のコンステレーションのうちのＮ個のコンステレーションシンボルのベクトルである。レシーバにおいて、受信した時間領域信号を、離散フーリエ変換（ＤＦＴ）アルゴリズムまたは高速フーリエ変換（ＦＦＴ）アルゴリズムを適用して周波数領域に変換して戻す。
【００１３】
ＯＦＤＭＡ（Orthogonal  Frequency  Division  Multiple  Access）はＯＦＤＭの多重アクセスのための変化形である。ＯＦＤＭＡは、個々のユーザにサブキャリアの一部を割り当てることにより動作する。これにより、複数のユーザから同時に送信ができ、スペクトル効率がよくなる。しかし、依然として、干渉を起こさずに双方向すなわちアップリンクとダウンリンクの両方向での通信を可能にする課題がある。
【００１４】
２つのノード間の双方向通信を可能にするため、２つの通信リンク（フォワードすなわちダウンロードと、リバースすなわちアップリンク）を二重化して、装置が同一リソース媒体上で同時に送受信できないという物理的な制約を克服する２つの周知のアプローチがある。第１のアプローチは、周波数分割多重（ＦＤＤ）であり、伝送媒体をフォワードリンク通信用とリバースリンク通信用の２つの帯域にさらに分割して、２つのリンクを同時に、しかし相異なる周波数帯域で動作させるものである。第２のアプローチは、時分割多重（ＴＤＤ）であり、どの時点でもフォワードリンクまたはリバースリンクのみが媒体を利用できるように、する２つのリンクを同一周波数帯域上で動作させるが、時間的により媒体へのアクセスをさらに分割するものである。どちらのアプローチ（ＴＤＤ及びＦＤＤ）も他方と比較してそれ自体のメリットがあり、両方ともシングルホップの有線及び無線の通信システムでよく利用される方式である。例えば、ＩＥＥＥ８０２．１６規格にはＦＤＤモードとＴＤＤモードが両方とも組み入れられている。
【００１５】
一例として、図８はＩＥＥＥ８０２．１６規格（ＷｉＭＡＸ）のＯＦＤＭＡ物理レイヤモードで利用されるシングルホップＴＤＤフレーム構成を示す図である。この規格はここに参照援用する。
【００１６】
各フレームはＤＬサブフレームとＵＬサブフレームに分割され、各サブフレームは別々の送信インターバルである。フレームは送受信トランジションガードインターバル（ＴＴＧ）と受送信トランジションガードインターバル（ＲＴＧ）により分離されている。各ＤＬサブフレームは、プリアンブルで始まり、フレーム制御ヘッダ（ＦＣＨ）、ＤＬマップ、ＵＬマップが続く。
【００１７】
フレーム制御ヘッダは、バーストプロファイルとＤＬマップの長さとを指定するＤＬフレームプレフィックス（ＤＬＦＰ）を含む。ＤＬＦＰは各フレームの始めに送信されるデータ構成であり、カレントフレーム（current  frame）に関する情報を含む。ＤＬＦＰはＦＣＨにマッピングされる。
【００１８】
同時ダウンリンクアロケーション（simultaneous  ＤＬ  allocations）をブロードキャスト、マルチキャスト、またはユニキャストしてもよいし、担当している（serving）ＢＳ以外のＢＳのアロケーションを含んでいてもよい。同時アップリンクはデータアロケーションであっても、レンジング（ranging）要求または帯域幅要求であってもよい。
【００１９】
英国特許出願第０６１６４８２．６号は、通信技術に関し、本願発明者が提案した関連発明を説明している。この出願の内容はここに参照援用し、そのコピーを共に提出する。
【００２０】
中継局（ＲＳ）におけるフレーム構成は、標準化されたフレーム構成との互換性を保ち、基地局（ＢＳ）や移動局（ＭＳ）の送信における干渉を回避するように設計すべきである。通常、ＲＳにおけるフレーム構成は、ＢＳとＲＳとの間、ＢＳとＭＳとの間、またはＲＳとＭＳとの間の通信を保証すべきである。しかし、本発明者は、ＭＳからの通信はＲＳとＢＳの通信からの干渉を経験することがあることに気づいた。
【００２１】
本発明は独立項に記載されており、ここで参照する。有利な実施形態は従属項に記載した。
【００２２】
添付した図面を参照して、単なる例示により、本発明の好ましい特徴をここに説明する。
【図面の簡単な説明】
【００２３】
【図１】本発明の一実施形態を示す概略図である。
【図２】本発明の実施形態の理科に有用なＲＳ領域の例を示す図である。
【図３】ＷｉＭＡＸリレーシステムを示す図である。
【図４】ＲＳ領域をアロケーションする動作の一例を示す図である。
【図５】ＢＳがＲＳからの要求なしにＲＳ領域に直接命令できることを示す図である。
【図６】シングルセル、ツーホップワイヤレス通信システムを示す図である。
【図７ａ】中継局のアプリケーションを示す図である。
【図７ｂ】中継局のアプリケーションを示す図である。
【図８】ＩＥＥＥ８０２．１６規格のＯＦＤＭＡ物理レイヤモードで使用するシングルホップＴＤＤフレーム構成を示す図である。
【発明を実施するための形態】
【００２４】
ウィンドウ保存
１．  はじめに
分散制御のマルチホップリレーベースネットワークにおいて、ＲＳはアクセスリンクのリソースアロケーションの責任を有し、ＲＳにおけるＤＬとＵＬマップ情報と関連ＩＥを構成する。その結果、ＭＲ−ＢＳ（またはその下のＲＳ）がＲＳにメッセージを送って、サービスするＳＳへの送信のためにＲＳにおけるアクセスダウンリンクの領域を使用しないように命令させるメカニズムは存在しない。
【００２５】
同じ問題はアップリンクにもあり、上位ＲＳまたはＭＲ−ＢＳはＲＳに対して、そのＲＳが制御するアクセスリンクにＳＳからの送信をアロケーションしないように命令することはできない
その結果として、ＭＲ−ＢＳは、シングルホップシステムにおいて一般的に使われるセルにわたる安全領域を割り当てることができず、干渉が低減またはゼロのＤＬまたはＵＬサブフレーム中の送信領域を試みる（try  and  provide）しかない。
２．  実施形態の詳細
本発明の実施形態では、下位の中間ノードに「予約」情報を提供する上位ノードのコンセプトを用いる。この予約情報は、そのノードが情報コントロール（information  controls）を受け取るアクセスダウンリンク及びアップリンクにおける送信機会のアロケーションに影響を与える。簡単な例として、ＭＲ−ＢＳがＲＳに情報を送信して、そのＲＳに、アクセスダウンリンク及びアクセスアップリンクのある領域を使わないように通知する。結果として、ＲＳはＤＬマップとＵＬマップにそれぞれリソースアロケーションを含まず、その結果ＲＳは、アクセスＤＬインターバル内のこの予約領域内で送信せず、ＳＳまたはＭＳは、アクセスＵＬのこの予約領域内で送信しない。
【００２６】
これを実現するため、ＭＲ−ＢＳ（または上位ＲＳ）が下位ＲＳに予約情報を通知できる２つの新しいメッセージが必要となる。本発明の実施形態では、この２つの新しいメッセージをＭＲ＿ＤＬ＿Ｓａｆｅｔｙ＿Ｒｅｇｉｏｎ＿ＩＥとＭＲ＿ＵＬ＿Ｓａｆｅｔｙ＿Ｒｅｇｉｏｎ＿ＩＥと呼ぶ。これらのメッセージは、アクセスダウンリンク及びアクセスアップリンクのそれぞれで、ＲＳが使用できない領域またはウィンドウに関する情報を含む。これらのメッセージを受信すると、ＲＳは、既存のメッセージを利用してこれらの領域が利用されていないことをＭＳに通知する。ＩＥＥＥ８０２．１６ベースシステムの場合、ＲＳはレガシーメッセージを用いてこれをできる。ＤＬの場合、ＲＳはＤＩＵＣ１３を用いてＤＬ−ＭＡＰ＿ＩＥを送信する。ＳＳ／ＭＳは、かかる情報を受信すると、ＤＩＵＣ１３のＤＬ−ＭＡＰ＿ＩＥにより既述されるバーストで送信された信号は無視することが分かり、ＲＳは、このバーストまたは領域において何も（情報を担う信号は）送信できない。ＵＬの場合、ＲＳは、ＵＩＵＣが１３であるＵＬ−ＭＡＰ＿ＩＥを送信し、その次にＰＡＰＲ＿ｒｅｄｕｃｔｉｏｎ＿ａｎｄ＿ｓａｆｅｔｙ＿ｚｏｎｅ＿ａｌｌｏｃａｔｉｏｎ＿ＩＥを送信し、タイプを安全ゾーンアロケーションに設定し、ＳＳ／ＭＳに指示した領域ではＵＬ情報を送信しないように通知する。
【００２７】
ＭＲ−ＢＳ（または上位ＲＳ）からの情報は、下位ＲＳに対してユニキャスト、マルチキャスト、またはブロードキャストされる。上位ＲＳまたはＭＲ−ＢＳは、予約ウィンドウを用いて、下位ＲＳからの干渉による性能低下を経験しているＭＳ／ＳＳに送信をアロケーションする。
【００２８】
図１Ａは、ＭＲ−ＢＳからＤＬサブフレーム０で発行されたコマンドが、次のサブフレームにおいてアクセスリンクにいかに影響されるかを示す図である。コマンドは、デ・アロケーションされるまで、または偶発的予約があるまで、または次のサブフレームまで存続することができる。この場合、ＲＳは、アクセスリンクのＤＬ−ＭＡＰにおいて、この領域はＤＩＵＣが１３である特殊なバーストにアロケーションすることにより予約されていることを通知する。その結果、この特殊なバーストまたは領域においては、ＲＳは情報を搬送しないので、ＳＳ／ＭＳはこのバーストを無視できる。
【００２９】
斜線を施した領域は、１つの命令でマルチキャストグループのすべてのＲＳにウィンドウまたは領域を予約するように通知できるマルチキャスト安全領域アロケーションである。濃さが異なる２つの網掛け領域は、ユニキャスト安全領域の例であり、１つのＲＳのみがＩＥにアロケーションされたウィンドウまたは領域を予約する。白いエリアは、ＩＥを発行している局（この場合、ＭＲ−ＢＳ）における下位ＲＳからの干渉を受けないエリアである。
【００３０】
図１Ｂは、ＭＲ−ＢＳからＤＬサブフレーム０で発行されたコマンドが、下位ＲＳにより、同じまたは後のサブフレームのいずれかにおけるアクセスリンクにいかに影響するかを示す図である。この場合、ＲＳはアクセスリンクのＵＬ−ＭＡＰにおいてこの領域は予約されていることを通知（indicate）する。その結果、ＳＳ／ＭＳは、この領域には送信をアロケーションせず、アロケーションがその領域に広がっているときはそれをスキップする。
【００３１】
本発明の実施形態は、送信用でない領域やウィンドウを使用することに主にフォーカスしているが、別の使用法としてＭＲ−ＢＳが「ドントケア（don't  care）」送信の領域をアロケーションすることもできる。かかる領域は、情報を搬送している波形と干渉するリスク無しに、すべての送信者が情報を搬送しない波形を送信することができる。かかる情報を搬送しない波形を使用して、トーンリザベーションとして知られる方法（かかるトーンリザベーションＳａｍｓｕｎｇ社名義の特許公報（ＷＯ２００５／０２５１０２号）に開示され、８０２．１６標準に組み込まれている）を用いて、送信機におけるＰＡＰＲを低減することができる。この領域またはウィンドウの別の使用方法は、８０２．１６標準に記載されているように、「サウンディング」波形を送信することである。つまり、この予約領域またはウィンドウは、ＰＡＰＲを低減するため、または送信をしないためにダウンリンク接続で使用することができ、サウンディング（既知の波形の送信）、ＰＡＰＲの低減、または送信をしないためにアップリンク接続で使用することができる。
【００３２】
「非情報搬送信号（non-information-carrying  signal）」は、受信器で処理されないサブチャリアの一部の送信を含み得る。これらのサブキャリアにはデータはエンコードされない。サブキャリアに適用される変調は、ＩＦＦＴ後に信号波形全体の変化を低減するものである。ＩＦＦＴの式は実質的には複数の正弦波形を足し合わせたものである。結果として、合成波形は振幅が大きく変動する。ＰＡＰＲ低減の背景にあるアイデアは、この変動を小さくすることである。１つの方法は、「不使用の」データサブキャリアを使用して、合成波形中の変動を低減することである。その方法では、変調して送信する際に、「不使用」データサブキャリアを、システム全体のＰＡＰＲを低減するように使用するが、これらの「不使用」サブキャリアを用いて受信器に情報を搬送することはない。よって、これらの「不使用」サブキャリアで送信される信号は、「非情報搬送信号」と呼ばれる。
【００３３】
サウンディング信号は、基本的には、受信器においてチャネル応答を特定するために用いる「周知」またはその他の「既知の」信号である。アイデアとしては、周知の信号を送信すれば（すなわち、受信器には何が送信されたか分かる）、チャネルにより生じた歪みを決定できるということである。よって、「チャネルサウンディング」という用語は、基本的にチャネルにサウンディングして、その特性を求める時に、かかる波形を送信する時に使用される。かかる信号は通常特殊な特性を有するように決められる。ＯＦＤＭの場合、周波数領域において振幅が一定となり、すべてのサブキャリアを同じ重みでサウンディングする（sound）ように設計されている。これにより、ノイズによりサウンディングプロセスに起こるエラーは、チャネル応答にわたり等しい重みを付けられる。また、ＯＦＤＭの場合、上記のように、ＰＡＰＲができるだけ小さくなるように、時間的に信号の振幅は一定であることが望ましい。
３．  利点のまとめ
上記の実施形態は、上位装置が、上記装置がＳＳまたはＭＳと低干渉または無干渉の通信を保証できる領域を作るために、下位デバイスが送信をしないウィンドウまたは領域を予約できるというコンセプトを示している。このコンセプトを実現（release）するメカニズムも提供する。
【００３４】
結果として以下の利点が得られる。
分散システム中の上位装置が下位デバイスをある程度制御して、干渉管理をすることができる。
これにより、分散制御の利益が得られるが、干渉の集中制御のメカニズムを提供し、これは単一（またはよりよい）周波数リユースを達成しようとするシステムでは必須である。
【００３５】
まとめると、BS(またはＲＳ)は、（特に、分散スケジューリングの場合には）下位ＲＳにダウンリンクとアップリンクの両方において非送信用にアクセスリンクの領域を予約するように指示する機能が必要である。これにより、ＢＳとその下位ＲＳによりカバーされたエリア内の干渉をある程度制御できる。それゆえ、２つのメッセージを考える。両方とも（ＤＬマップ及びＵＬマップ中の）Ｒリンクで搬送され、一方はＤＬアクセスリンクで使用しない領域を、もう一方はＵＬアクセスリンクで使用しない領域をＲＳに通知する。
【００３６】
Ｒ−ＤＬのＤＬマップは、ＲＳに非送信（non-transmission）の領域またはウィンドウを割り当てる、１つのＲＳにユニキャストされた、またはマルチキャストグループのＲＳにマルチキャストされたＭＲ＿ＤＬ＿Ｓａｆｅｔｙ＿Ｚｏｎｅ＿ＩＥを含む。ＭＲ−ＢＳは、すべてのＲＳ（またはＲＳのグループ）からの干渉を経験しているＲＳまたはＭＳからの干渉を経験しているＭＳへの送信に、このウィンドウまたは領域を利用できる。アップリンクにおける安全ゾーンアロケーションについても同じことが言える。Ｒ−ＤＬ中のＵＬマップは、ＵＬにおけるＲＳへの非送信の領域またはウィンドウをアロケーションして、ＭＲ−ＢＳへのＭＳの送信へのＵＬにおける干渉を防止する安全領域アロケーションを含み得る。
【００３７】
ＲＳは、ＭＲ−ＢＳと同様の方法で下位ＲＳにＩＥを発行して、そのＲＳに接続されたＭＳへの干渉を防止してもよい。
ＲＳ領域とシステム動作の詳細
上記のウィンドウ予約をどう使用するかの一例はＲＳ領域にある。
ＲＳ領域の画成
ＲＳ間の安全な通信を確保するため、ＢＳはダウンリンクサブフレームとアップリンクサブフレームに１つまたは複数のＲＳ領域をアロケーションする。この領域のサイズは、複数のＯＦＤＭシンボル（図２ａ）でもよいし、複数のスロット（図２ｂ）でもよい。
【００３８】
ＲＳの送受信にＲＳ領域を用いる。ＢＳとＭＳはＲＳ領域内では静かにし、干渉を回避する。ＲＳ領域アロケーションの好ましい規則は：
・ＲＳ領域を生成し、ＲＳ、ＢＳ、及びＭＳのサブフレームと同期させる。アロケーションとサイズはＢＳにより指示される。
・ＲＳ領域ではＭＳとＢＳは静かにしている。
・ＢＳは、どのＲＳがＲＳ領域内で送信する権利を有するか表示する。
・１つまたは複数のＲＳがＲＳ領域内で情報を送信できる。
・ダウンリンクサブフレームとアップリンクサブフレームの時間内に、複数のＲＳ領域をアロケーションできる。
【００３９】
このＲＳ領域の目的は次の通りである
ＲＳ間の情報（データとシグナリングを含む）交換；
ＲＳとＭＳとの間の情報（データとシグナリングを含む）交換；
ＲＳとＢＳとの間の情報（データとシグナリングを含む）交換；
チャネルセンシングと同期のための所定のシーケンスをＲＳ領域に加えてもよい。
ＲＳ領域をアロケーションするシステム動作
図３は、中継局（図３）がＲＳ領域を欲しいときのシグナリング図である。
【００４０】
図４において、ＲＳ１＃は、ＲＳ＿Ｒｎｇ＿ＲｅｑをＢＳに送信し、ＲＳ領域を要求している。ＲＳ領域内の送信に関するより多くの情報がこのメッセージに含められる。ＢＳは応答のためＲＳ＿Ｒｎｇ＿Ｒｓｐメッセージを送信する。ＢＳはＲＳ領域アロケーションを拒絶または承認する。ＲＳ領域内の送信に関するより多くの情報をこのメッセージに含められる。例えば、拒絶の理由、ＲＳ領域の位置及びタイミング情報、アクセス方法などである。ＢＳがＲＳ領域の要求を承認すると、対応するＲＳ領域はサブフレームにアロケーションされる。
【００４１】
ＲＳ領域は、ＲＳからの要求なしに、ＢＳに直接指定されてもよい。図５に示したように、ＢＳは、ＲＳ＿Ｒｎｇ＿Ｒｓｐメッセージを送信して、すべてのＲＳに対するＲＳ領域を命令してもよい。このメッセージにはより多くの情報を含められる。
【００４２】
マルチホップ中継システムでは、ＲＳ＿Ｒｎｇ＿ＲｅｑやＲＳ＿Ｒｎｇ＿Ｒｓｐ等のメッセージを中継して、マルチホップ中継局がＲＳ領域を要求できるようにしてもよい。
【００４３】
本発明の実施形態は、ハードウェアで実施してもよいし、１つ以上のプロセッサ上で動作するソフトウェアモジュールとして実施してもよいし、これらの組み合わせとして実施してもよい。すなわち、実際にはマイクロプロセッサまたはデジタルシグナルプロセッサ（ＤＳＰ）を用いて本発明を化体するトランスミッタの機能の一部または全部を実施してもよいことは、当業者には明らかであろう。本発明はここに開示した方法の一部または全部を実行するデバイスまたは装置のプログラム（例えば、コンピュータプログラム及びコンピュータプログラム製品）として化体してもよい。本発明を化体するかかるプログラムは、コンピュータ読み取り可能媒体に格納したものでもよく、例えば信号の形態であってもよい。かかる信号はインターネットのウェブサイトからダウンロード可能なデータ信号であっても、キャリア信号上の信号であっても、その他の形態であってもよい。
利点のまとめ
まとめると、実施形態の利点は以下の通りである：
・予約ウィンドウの柔軟性を改善することにより、ＯＦＤＭＡ（ＷｉＭＡＸ等）システムを改善する；
・ウィンドウを予約する実現可能な方法により、フレーム構成とネットワーク配置を柔軟にする；
・提案したウィンドウ予約方法のためにシグナリングメカニズムを設計した。これはＷｉＭＡＸ標準と互換性がある。
・集中アルゴリズムを分散様式にする、柔軟性を高める；分散システムはＢＳの計算負荷及びシグナリング付加を解消（release）することができる；
・提案した予約ウィンドウを、チャネルサウンディング、ハンドオーバー、ルーディングディスカバリ、及びメンテナンス等の複数の目的に用いることができる。
・ウィンドウ予約は中継システムにおいて干渉を回避する柔軟な方法である。
ＩＥＥＥ８０２．１６Ｅ−２００５へのＲＳアクセスダウンリンク安全領域の適用ウィンドウ予約コントリビューション
はじめに
分散制御［１］のマルチホップリレーベースネットワークにおいて、ＲＳはアクセスリンクのリソースアロケーションの責任を有し、ＲＳにおけるＤＬとＵＬマップ情報と関連ＩＥを構成する。その結果、ＭＲ−ＢＳ（またはその下のＲＳ）がＲＳにメッセージを送って、サービスするＳＳへの送信のためにＲＳにおけるアクセスダウンリンクの領域をアロケーションしないように命令させるメカニズムは存在しない。
ＭＲ−ＢＳ（またはＲＳ）に、アクセスダウンリンクにおける非送信用に予約された領域をＲＳに表示させるために、ＭＲ−ＢＳまたはＲＳからＲＳにＲリンク［２］で送信し、アクセスダウンリンクにおける予約すなわち「安全」領域を表示する新しいＤＬ−ＭＡＰ  ＩＥを提案する。ＲＳは、Ｒリンクで「ＲＳ＿ＤＬ＿Ｓａｆｅｔｙ＿Ｒｅｇｉｏｎ＿ＩＥ」を受信すると、次のＤＬサブフレームのアクセスＤＬ中のこの領域を予約する。
提案する本文
［セクション８．４．５．３．２．１のテーブル２７７ａの項目を以下のように変更：］
０A                        RS_Access_DL_Safety_Region_IE
０９-０A                        Reserved                            （一行削除）
［新しい従属節８．４．５．３．２９：］
８.４.５.３.２９                      RS_Access_DL_Safety_Region_IE
中継リンクにおけるＤＬマップにおいて、ＭＲ−ＢＳまたはＲＳはＲＳ＿Ａｃｃｅｓｓ＿ＤＬ＿Ｓａｆｅｔｙ＿Ｒｅｇｉｏｎ＿ＩＥ（）とともにＤＩＵＣ＝１５を送信し、次のＤＬサブフレーム中のＲＳアクセスＤＬにおいて非送信用に予約する領域の位置を示す。
【表１】
2010502074.tif 000006
【図１】
2010502074.tif 000007
【図２】
2010502074.tif 000008
【図３】
2010502074.tif 000009
【図４】
2010502074.tif 000010
【図５】
2010502074.tif 000011
【図６】
2010502074.tif 000012
【図７ａ】
2010502074.tif 000013
【図７ｂ】
2010502074.tif 000014
【図８】
2010502074.tif 000015
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
マルチホップワイヤレス通信システムにおいて使用する送信方法であって、前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記システムは、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置から第２の装置への送信時間に使用する予約情報を送信する段階であって、前記第２の装置は前記中間装置の１つであり、前記予約情報は前記送信時間で予約すべき少なくとも１つの送信ウィンドウを指定する段階と、
前記第２の装置において、受信した予約情報に応じて、前記送信時間の指定されたウィンドウを予約する段階とを含む方法。
【請求項２】
前記第１の装置は前記送信元装置である、または前記システムは少なくとも２つの中間装置を含み、前記第１の装置は前記中間装置の一方である、請求項１に記載の送信方法。
【請求項３】
前記システムは２つ以上の中間装置を有し、前記方法は、
前記予約情報を前記第２の装置を含む各中間装置に送信する段階と、
各中間装置において、受信した予約情報に応じて、前記送信時間の指定されたウィンドウを予約する段階とを含む、請求項１または２に記載の方法。
【請求項４】
前記第２の装置または前記中間装置における予約の結果として、前記装置が前記指定ウィンドウにおける他の送信と干渉しないように、前記送信時間の指定ウィンドウにおいて前記装置からの送信をしない段階を含む、または前記第２の装置または前記中間装置における予約の結果として、前記送信時間の指定ウィンドウにおいて前記装置から非情報搬送信号を送信する段階を含む、請求項１ないし３いずれか一項に記載の送信方法。
【請求項５】
前記送信時間に前記送信時間の直前の送信時間に前記予約情報を送信する段階を含む、請求項１ないし９いずれか一項に記載の方法。
【請求項６】
前記予約情報は前記送信時間を含む複数の送信時間で使用され、前記方法は前記複数の送信時間の各々の前記予約を実行する段階を含む、請求項１ないし５いずれか一項に記載の送信方法。
【請求項７】
前記予約情報は継続的な予約情報であり、前記方法は、前記継続的予約情報をキャンセルするデ・アロケーション情報を受信するまで、前記複数の送信時間の予約を順次実行する段階を含む、請求項６に記載の送信方法。
【請求項８】
前記通信方向はダウンリンク方向であり、
前記送信先装置は、前記中間装置を介して前記送信元装置に前記通信経路に沿って前記ダウンリンク方向と逆のアップリンク方向で情報を送信でき、
前記中間装置は、前記経路に沿って前記アップリンク方向で前段装置から情報を受信し、前記経路に沿って前記アップリンク方向で後段装置に受信情報を送信するように動作可能であり、
前記時間周波数フォーマットは、前記アップリンク方向での送信に利用できる送信周波数帯域幅の割り当てにも使用される、請求項１ないし７いずれか一項に記載の送信方法。
【請求項９】
前記第２の装置における予約の結果として、前記第１の装置からの前記通信方向の前記経路に沿って位置する第３の装置からの送信を制御する、請求項８に記載の送信方法。
【請求項１０】
前記制御は、前記第３の装置が前記送信時間の指定ウィンドウで送信しないように制御するものであり、
前記制御は、前記第３の装置が前記送信時間の指定ウィンドウで非情報搬送信号を送信するように制御するものである、請求項９に記載の送信方法。
【請求項１１】
前記制御は、前記第３の装置が前記送信時間の指定ウィンドウでサウンディング方法に使用する既知の信号を送信するように制御するものである、請求項１０に記載の送信方法。
【請求項１２】
前記予約情報は予約する少なくとも２つの送信ウィンドウを指定し、前記送信ウィンドウの一方は前記ダウンリンク方向の送信用であり、他方は前記アップリンク方向の送信用である、請求項８ないし１１いずれか一項に記載の送信方法。
【請求項１３】
前記第２の装置は、前記送信元装置から前記経路に沿った前記装置の少なくとも１つに、かかる送信時間に、かかる送信ウィンドウのアロケーションを行う、請求項１ないし１２いずれか一項に記載の送信方法。
【請求項１４】
前記予約情報は第１の予約情報であり、前記送信時間は第１の送信時間であり、前記方法は、さらに、
前記第１の予約情報の送信の後、前記第２の装置に前記第１の装置から前記第１の送信時間の後の第２の送信時間に使用する、前記第１の予約情報とは異なる第２の予約情報を送信する段階と、
前記第２の装置において、受信した第２の予約情報に応じて、前記第２の送信時間の指定されたウィンドウを予約する段階とを含み、
前記第２の送信時間内に前記第２の予約情報により指定された少なくとも１つのウィンドウの位置は、前記第１の送信時間内の前記第１の予約情報により指定された少なくとも１つのウィンドウの位置とは異なる、請求項１ないし１３いずれか一項に記載の送信方法。
【請求項１５】
各離散送信時間はサブフレーム期間であり、各送信ウィンドウはＯＦＤＭまたはＯＦＤＭＡフレーム構成の領域である、請求項１ないし１４いずれか一項に記載の送信方法。
【請求項１６】
マルチホップワイヤレス通信システムであって、
前記システムは送信元装置と、送信先装置と、１つまたは複数の中間装置とを有し、
前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、
前記システムは、離散的な送信時間において前記一通信方向での送信に利用できる送信周波数帯域を割り当てるのに使用する時間・周波数フォーマットにアクセス可能するように動作可能なアクセス手段を有し、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、
前記システムは、前記装置のうちの第１の装置に設けられた、前記装置のうちの第１の装置から第２の装置への送信時間に使用する予約情報を送信する送信手段であって、前記第２の装置は前記中間装置の１つであり、前記予約情報は前記送信時間で予約すべき少なくとも１つの送信ウィンドウを指定する送信手段と、
前記第２の装置に設けられた、前記第２の装置において、受信した予約情報に応じて、前記送信時間の指定されたウィンドウを予約する予約手段とを含むシステム。
【請求項１７】
マルチホップワイヤレス通信システムのコンピューティング装置において実行されると、前記システムに送信方法を実行させるコンピュータプログラムであって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記システムは、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置から第２の装置への送信時間に使用する予約情報を送信する段階であって、前記第２の装置は前記中間装置の１つであり、前記予約情報は前記送信時間で予約すべき少なくとも１つの送信ウィンドウを指定する段階と、
前記第２の装置において、受信した予約情報に応じて、前記送信時間の指定されたウィンドウを予約する段階とを含むコンピュータプログラム。
【請求項１８】
マルチホップワイヤレス通信システムの一中間装置において使用する送信方法であって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置からかかる送信時間に使用する、前記送信時間の予約すべき少なくとも１つの送信ウィンドウを指定する予約情報を受信する段階と、
受信した予約情報に応じて、前記送信時間の指定されたウィンドウを予約する段階とを含む方法。
【請求項１９】
マルチホップワイヤレス通信システムの一中間装置であって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、
離散的な送信時間において前記一通信方向での送信に利用できる送信周波数帯域を割り当てるのに使用する時間・周波数フォーマットにアクセス可能するように動作可能なアクセス手段を有し、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、
各ウィンドウは送信に使用する前記装置の１つへの送信時間に割り当て可能であり、
前記装置のうちの第１の装置からかかる送信時間に使用する、前記送信時間の予約すべき少なくとも１つの送信ウィンドウを指定する予約情報を受信手段と、
受信した予約情報に応じて、前記送信時間の指定されたウィンドウを予約する予約手段とを含む装置。
【請求項２０】
マルチホップワイヤレス通信システムの一中間装置のコンピューティング装置において実行されると、前記一中間装置に送信方法を実行させるコンピュータプログラムであって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置からかかる送信時間に使用する、前記送信時間の予約すべき少なくとも１つの送信ウィンドウを指定する予約情報を受信する段階と、
受信した予約情報に応じて、前記送信時間の指定されたウィンドウを予約する段階とを含むコンピュータプログラム。
【手続補正２】
【補正対象書類名】明細書
【補正対象項目名】全文
【補正方法】変更
【補正の内容】
【発明の詳細な説明】
【背景技術】
【０００１】
カバレッジ範囲の拡大とシステム容量（スループット）の増大の両方が可能であるとして、パケットベースの無線（radio）システム等においてマルチホップ方式の利用が現在注目を集めている。
【０００２】
マルチホップ通信システムでは、送信元装置から１つまたはそれ以上の中間装置を介して送信先装置に至る通信経路（Ｃ）に沿って一通信方向に通信信号を送信する。図６は、単一セル、ツー（２）ホップ・ワイヤレス通信システムを示す。このシステムは、基地局ＢＳ（第３世代通信システムでは「ノードＢ（ＮＢ）」として知られている）と、中継ノードＲＮ（中継局ＲＳとしても知られている）と、ユーザ装置ＵＥ（移動局ＭＳとしても知られている）とを含む。信号をダウンリンク（ＤＬ）で基地局から中継ノード（ＲＮ）を介して送信先のユーザ装置（ＵＥ）に送信する場合、基地局が送信元局（Ｓ）であり、ユーザ装置が送信先局（Ｄ）である。信号をアップリンク（ＵＬ）でユーザ装置（ＵＥ）から中継ノード（ＲＮ）を介して基地局に送信する場合、ユーザ装置が送信元局であり、基地局が送信先局である。中継ノードは中間装置（Ｉ）の一例であり、送信元装置からデータを受信するレシーバと、そのデータまたはそれから派生したデータを送信先装置に送信するトランスミッタとを有する。
【０００３】
従来、デッドスポット（dead  spots）のカバレッジのために、単純なアナログリピータやデジタルリピータを中継局として利用していた。これらのリピータは、送信元局とは異なる送信周波数で動作して送信元からの送信とリピータからの送信とが干渉しないようにするか、送信元局が送信していない時に動作する。
【０００４】
図７は、中継局のアプリケーションを示す図である。固定インフラストラクチャの場合、中継局が提供するカバレッジは、移動局が物の影に入ってしまい、または基地局のカバレッジ範囲内にいるが基地局から十分な信号強度を得られないときに、通信ネットワークにアクセスさせる「インフィル（in-fill）」であってもよい。移動局が基地局の通常のデータ送信範囲外にいるときにアクセスさせる「範囲拡大」も示されている。図７の右上に示したインフィルの例は、地上レベルまたはその上下におけるビル内のカバレッジを可能とするノーマディック中継局の配置である。
【０００５】
その他のアプリケーションは、イベントや緊急時・災害時にアクセスを提供する一時的カバー（temporary  cover）を発揮するノーマディック中継局である。図７の右下に示したアプリケーションは、車両に載せた中継局を用いてネットワークへのアクセスを提供する。
【０００６】
下に説明するように、中継を、通信システムのゲインを向上する高度な送信技術とともに利用してもよい。
【０００７】
無線通信の散乱や吸収により伝搬損失、すなわち「経路損失」が生じるので、信号強度は小さくなる。トランスミッタとレシーバとの間の経路損失に影響する要因には次のものがある：トランスミッタのアンテナ高さ、レシーバのアンテナの高さ、キャリア周波数、混雑具合（clutter  type）（都会、半都会、郊外）、高度等の詳細な形態、密度、セパレーション（separation）、地形（起伏がある、平地）。トランスミッタとレシーバの間の経路損失Ｌ（ｄＢ）を次式でモデル化できる：
【数１】
2010502074.tif 000016
ここで、ｄ（メートル）はトランスミッタとレシーバのセパレーション（separation）であり、ｂ（ｄｂ）とｎは経路損失パラメータであり、経路損失の絶対値はｌ＝１０（Ｌ／１０）で与えられる。
【０００８】
間接リンクＳＩ＋ＩＤで生じる絶対経路損失は、直接リンクＳＤで生じる経路損失より小さいこともあり得る。換言すると、次式が成り立つこともある：
【数２】
2010502074.tif 000017
【０００９】
１つの送信リンクを２つの短い送信セグメントに分割すれば、経路損失と距離との間の非線形関係を利用できる。式（Ａ）を用いた経路損失の簡単な理論的分析から、送信元装置から中間装置を介して送信先装置に信号を送信すると、送信元装置から送信先装置に直接送信するよりも全体的な経路損失は少なくでき、信号強度およびそれによるデータスループットの改善ができることが分かる。適切に実施すれば、マルチホップ通信システムにより、ワイヤレス送信を行うトランスミッタの送信パワーを低減することができ、干渉レベルが低くなり、電磁放射にさらされる量が減る。あるいは、全体的な経路損失が減ることにより、信号伝達に必要な放射送信パワーを増やさなくても、レシーバにおける受信信号品質が良くなる。
【００１０】
マルチホップシステムはマルチキャリア送信での利用に適している。ＦＤＭ（周波数分割多重）、ＯＦＤＭ（直交周波数分割多重）、またはＤＭＴ（離散マルチトーン）などのマルチキャリア送信システムでは、１つのデータストリームをＮ個の並列のサブキャリアに変調する。各サブキャリア信号はそれ自体の周波数範囲を有する。こうすることにより、帯域幅全体を複数のサブキャリアに分割し、各データシンボルの長さを長くすることができる。各サブキャリアの情報レートは低いので、マルチキャリアシステムはシングルキャリアシステムと比較して、チャネルに生じる歪み（channel  induced  distortion）に対する抵抗力が強いという点で利益がある。これは、各サブキャリアの送信レートと帯域幅とがそのチャネルのコヒーレンス帯域幅（coherence  bandwidth）より小さくすることにより可能となる。結果として、信号サブキャリアに生じるチャネル歪みは周波数に依存するので、簡単な位相及び振幅の補正ファクタにより補正することができる。このように、システム帯域幅がチャネルのコヒーレンス帯域幅より大きいとき、マルチキャリアレシーバ内のチャネル歪み補正部（channel  distortion  correction  entity）は、シングルキャリアレシーバ内の対応するチャネル歪み補正部より、非常に簡単なものとすることができる。
【００１１】
直交周波数分割多重（ＯＦＤＭ）はＦＤＭに基づく変調方式である。ＯＦＤＭシステムは、サブキャリアのスペクトルが相互に独立であるために干渉を起こさずにオーバーラップできるように、数学的に直交する複数のサブキャリア周波数を利用する。ＯＦＤＭシステムの直交性により、ガードバンド周波数が必要なくなり、そのためにシステムのスペクトル的効率性が高くなる。ＯＦＤＭは多くのワイヤレスシステムに提案され、受け入れられている。ＯＦＤＭは、非対称デジタル加入者線（ＡＤＳＬ）接続、一部のワイヤレスＬＡＮアプリケーション（例えば、ＩＥＥＥ８０２．１１ａ／ｇ標準に基づくＷｉＦｉデバイス）、（ＩＥＥＥ８０２．１６標準に基づく）ＷｉＭＡＸ等の一部のワイヤレスＭＡＮアプリケーションで現在使用されている。ＯＦＤＭは、エラー訂正方法であるチャネルコーディングとともにしばしば用いられ、コード化直交ＦＤＭすなわちＣＯＦＤＭとなる。ＣＯＦＤＭは今日デジタル電気通信システムで広く用いられ、周波数領域のサブキャリアと時間領域のシンボルの両方にわたりチャネル歪みの変化があるマルチパス環境において、ＯＦＤＭベースシステムの性能を向上させている。本システムはビデオやオーディオのブロードキャスト（例えばＤＶＢやＤＡＢ）やある種のコンピュータネットワーク技術で使用できる。
【００１２】
ＯＦＤＭシステムでは、トランスミッタにおいて、Ｎ個の変調パラレルデータソース信号のブロックを逆離散フーリエ変換（ＩＤＦＴ）アルゴリズムまたは逆高速フーリエ変換（ＩＦＦＴ）を用いることにより、Ｎ個の直交パラレルサブキャリアにマッピングし、時間領域の「ＯＦＤＭシンボル」として知られる信号を形成する。このように、「ＯＦＤＭシンボル」はＮ個のサブキャリア信号すべてを合成した信号である。ＯＦＤＭシンボルは数学的には次式で表せる：
【数３】
2010502074.tif 000018
ここで、ΔｆはＨｚ単位のサブキャリアのセパレーションであり、Ｔｓ＝１／Δｆは秒単位のシンボル時間であり、ｃｎは変調ソース信号である。各ソース信号で変調される式（１）のサブキャリアベクトルはｃ∈Ｃｎであり、ｃ＝（ｃ０，ｃ１．．ｃＮ−１）は有限のコンステレーションのうちのＮ個のコンステレーションシンボルのベクトルである。レシーバにおいて、受信した時間領域信号を、離散フーリエ変換（ＤＦＴ）アルゴリズムまたは高速フーリエ変換（ＦＦＴ）アルゴリズムを適用して周波数領域に変換して戻す。
【００１３】
ＯＦＤＭＡ（Orthogonal  Frequency  Division  Multiple  Access）はＯＦＤＭの多重アクセスのための変化形である。ＯＦＤＭＡは、個々のユーザにサブキャリアの一部を割り当てることにより動作する。これにより、複数のユーザから同時に送信ができ、スペクトル効率がよくなる。しかし、依然として、干渉を起こさずに双方向すなわちアップリンクとダウンリンクの両方向での通信を可能にする課題がある。
【００１４】
２つのノード間の双方向通信を可能にするため、２つの通信リンク（フォワードすなわちダウンロードと、リバースすなわちアップリンク）を二重化して、装置が同一リソース媒体上で同時に送受信できないという物理的な制約を克服する２つの周知のアプローチがある。第１のアプローチは、周波数分割多重（ＦＤＤ）であり、伝送媒体をフォワードリンク通信用とリバースリンク通信用の２つの帯域にさらに分割して、２つのリンクを同時に、しかし相異なる周波数帯域で動作させるものである。第２のアプローチは、時分割多重（ＴＤＤ）であり、どの時点でもフォワードリンクまたはリバースリンクのみが媒体を利用できるように、する２つのリンクを同一周波数帯域上で動作させるが、時間的により媒体へのアクセスをさらに分割するものである。どちらのアプローチ（ＴＤＤ及びＦＤＤ）も他方と比較してそれ自体のメリットがあり、両方ともシングルホップの有線及び無線の通信システムでよく利用される方式である。例えば、ＩＥＥＥ８０２．１６規格にはＦＤＤモードとＴＤＤモードが両方とも組み入れられている。
【００１５】
一例として、図８はＩＥＥＥ８０２．１６規格（ＷｉＭＡＸ）のＯＦＤＭＡ物理レイヤモードで利用されるシングルホップＴＤＤフレーム構成を示す図である。この規格はここに参照援用する。
【００１６】
各フレームはＤＬサブフレームとＵＬサブフレームに分割され、各サブフレームは別々の送信インターバルである。フレームは送受信トランジションガードインターバル（ＴＴＧ）と受送信トランジションガードインターバル（ＲＴＧ）により分離されている。各ＤＬサブフレームは、プリアンブルで始まり、フレーム制御ヘッダ（ＦＣＨ）、ＤＬマップ、ＵＬマップが続く。
【００１７】
フレーム制御ヘッダは、バーストプロファイルとＤＬマップの長さとを指定するＤＬフレームプレフィックス（ＤＬＦＰ）を含む。ＤＬＦＰは各フレームの始めに送信されるデータ構成であり、カレントフレーム（current  frame）に関する情報を含む。ＤＬＦＰはＦＣＨにマッピングされる。
【００１８】
同時ダウンリンクアロケーション（simultaneous  ＤＬ  allocations）をブロードキャスト、マルチキャスト、またはユニキャストしてもよいし、担当している（serving）ＢＳ以外のＢＳのアロケーションを含んでいてもよい。同時アップリンクはデータアロケーションであっても、レンジング（ranging）要求または帯域幅要求であってもよい。
【００１９】
英国特許出願第０６１６４８２．６号は、通信技術に関し、本願発明者が提案した関連発明を説明している。この出願の内容はここに参照援用し、そのコピーを共に提出する。
【００２０】
中継局（ＲＳ）におけるフレーム構成は、標準化されたフレーム構成との互換性を保ち、基地局（ＢＳ）や移動局（ＭＳ）の送信における干渉を回避するように設計すべきである。通常、ＲＳにおけるフレーム構成は、ＢＳとＲＳとの間、ＢＳとＭＳとの間、またはＲＳとＭＳとの間の通信を保証すべきである。しかし、本発明者は、ＭＳからの通信はＲＳとＢＳの通信からの干渉を経験することがあることに気づいた。
【００２１】
本発明は独立項に記載されており、ここで参照する。有利な実施形態は従属項に記載した。
【００２２】
添付した図面を参照して、単なる例示により、本発明の好ましい特徴をここに説明する。
【図面の簡単な説明】
【００２３】
【図１】本発明の一実施形態を示す概略図である。
【図２】本発明の実施形態の理科に有用なＲＳ領域の例を示す図である。
【図３】ＷｉＭＡＸリレーシステムを示す図である。
【図４】ＲＳ領域をアロケーションする動作の一例を示す図である。
【図５】ＢＳがＲＳからの要求なしにＲＳ領域に直接命令できることを示す図である。
【図６】シングルセル、ツーホップワイヤレス通信システムを示す図である。
【図７ａ】中継局のアプリケーションを示す図である。
【図７ｂ】中継局のアプリケーションを示す図である。
【図８】ＩＥＥＥ８０２．１６規格のＯＦＤＭＡ物理レイヤモードで使用するシングルホップＴＤＤフレーム構成を示す図である。
【発明を実施するための形態】
【００２４】
ウィンドウ保存
１．  はじめに
分散制御のマルチホップリレーベースネットワークにおいて、ＲＳはアクセスリンクのリソースアロケーションの責任を有し、ＲＳにおけるＤＬとＵＬマップ情報と関連ＩＥを構成する。その結果、ＭＲ−ＢＳ（またはその下のＲＳ）がＲＳにメッセージを送って、サービスするＳＳへの送信のためにＲＳにおけるアクセスダウンリンクの領域を使用しないように命令させるメカニズムは存在しない。
【００２５】
同じ問題はアップリンクにもあり、上位ＲＳまたはＭＲ−ＢＳはＲＳに対して、そのＲＳが制御するアクセスリンクにＳＳからの送信をアロケーションしないように命令することはできない
その結果として、ＭＲ−ＢＳは、シングルホップシステムにおいて一般的に使われるセルにわたる安全領域を割り当てることができず、干渉が低減またはゼロのＤＬまたはＵＬサブフレーム中の送信領域を試みる（try  and  provide）しかない。
２．  実施形態の詳細
本発明の実施形態では、下位の中間ノードに「予約」情報を提供する上位ノードのコンセプトを用いる。この予約情報は、そのノードが情報コントロール（information  controls）を受け取るアクセスダウンリンク及びアップリンクにおける送信機会のアロケーションに影響を与える。簡単な例として、ＭＲ−ＢＳがＲＳに情報を送信して、そのＲＳに、アクセスダウンリンク及びアクセスアップリンクのある領域を使わないように通知する。結果として、ＲＳはＤＬマップとＵＬマップにそれぞれリソースアロケーションを含まず、その結果ＲＳは、アクセスＤＬインターバル内のこの予約領域内で送信せず、ＳＳまたはＭＳは、アクセスＵＬのこの予約領域内で送信しない。
【００２６】
これを実現するため、ＭＲ−ＢＳ（または上位ＲＳ）が下位ＲＳに予約情報を通知できる２つの新しいメッセージが必要となる。本発明の実施形態では、この２つの新しいメッセージをＭＲ＿ＤＬ＿Ｓａｆｅｔｙ＿Ｒｅｇｉｏｎ＿ＩＥとＭＲ＿ＵＬ＿Ｓａｆｅｔｙ＿Ｒｅｇｉｏｎ＿ＩＥと呼ぶ。これらのメッセージは、アクセスダウンリンク及びアクセスアップリンクのそれぞれで、ＲＳが使用できない領域またはウィンドウに関する情報を含む。これらのメッセージを受信すると、ＲＳは、既存のメッセージを利用してこれらの領域が利用されていないことをＭＳに通知する。ＩＥＥＥ８０２．１６ベースシステムの場合、ＲＳはレガシーメッセージを用いてこれをできる。ＤＬの場合、ＲＳはＤＩＵＣ１３を用いてＤＬ−ＭＡＰ＿ＩＥを送信する。ＳＳ／ＭＳは、かかる情報を受信すると、ＤＩＵＣ１３のＤＬ−ＭＡＰ＿ＩＥにより既述されるバーストで送信された信号は無視することが分かり、ＲＳは、このバーストまたは領域において何も（情報を担う信号は）送信できない。ＵＬの場合、ＲＳは、ＵＩＵＣが１３であるＵＬ−ＭＡＰ＿ＩＥを送信し、その次にＰＡＰＲ＿ｒｅｄｕｃｔｉｏｎ＿ａｎｄ＿ｓａｆｅｔｙ＿ｚｏｎｅ＿ａｌｌｏｃａｔｉｏｎ＿ＩＥを送信し、タイプを安全ゾーンアロケーションに設定し、ＳＳ／ＭＳに指示した領域ではＵＬ情報を送信しないように通知する。
【００２７】
ＭＲ−ＢＳ（または上位ＲＳ）からの情報は、下位ＲＳに対してユニキャスト、マルチキャスト、またはブロードキャストされる。上位ＲＳまたはＭＲ−ＢＳは、予約ウィンドウを用いて、下位ＲＳからの干渉による性能低下を経験しているＭＳ／ＳＳに送信をアロケーションする。
【００２８】
図１Ａは、ＭＲ−ＢＳからＤＬサブフレーム０で発行されたコマンドが、次のサブフレームにおいてアクセスリンクにいかに影響されるかを示す図である。コマンドは、デ・アロケーションされるまで、または偶発的予約があるまで、または次のサブフレームまで存続することができる。この場合、ＲＳは、アクセスリンクのＤＬ−ＭＡＰにおいて、この領域はＤＩＵＣが１３である特殊なバーストにアロケーションすることにより予約されていることを通知する。その結果、この特殊なバーストまたは領域においては、ＲＳは情報を搬送しないので、ＳＳ／ＭＳはこのバーストを無視できる。
【００２９】
斜線を施した領域は、１つの命令でマルチキャストグループのすべてのＲＳにウィンドウまたは領域を予約するように通知できるマルチキャスト安全領域アロケーションである。濃さが異なる２つの網掛け領域は、ユニキャスト安全領域の例であり、１つのＲＳのみがＩＥにアロケーションされたウィンドウまたは領域を予約する。白いエリアは、ＩＥを発行している局（この場合、ＭＲ−ＢＳ）における下位ＲＳからの干渉を受けないエリアである。
【００３０】
図１Ｂは、ＭＲ−ＢＳからＤＬサブフレーム０で発行されたコマンドが、下位ＲＳにより、同じまたは後のサブフレームのいずれかにおけるアクセスリンクにいかに影響するかを示す図である。この場合、ＲＳはアクセスリンクのＵＬ−ＭＡＰにおいてこの領域は予約されていることを通知（indicate）する。その結果、ＳＳ／ＭＳは、この領域には送信をアロケーションせず、アロケーションがその領域に広がっているときはそれをスキップする。
【００３１】
本発明の実施形態は、送信用でない領域やウィンドウを使用することに主にフォーカスしているが、別の使用法としてＭＲ−ＢＳが「ドントケア（don't  care）」送信の領域をアロケーションすることもできる。かかる領域は、情報を搬送している波形と干渉するリスク無しに、すべての送信者が情報を搬送しない波形を送信することができる。かかる情報を搬送しない波形を使用して、トーンリザベーションとして知られる方法（かかるトーンリザベーションＳａｍｓｕｎｇ社名義の特許公報（ＷＯ２００５／０２５１０２号）に開示され、８０２．１６標準に組み込まれている）を用いて、送信機におけるＰＡＰＲを低減することができる。この領域またはウィンドウの別の使用方法は、８０２．１６標準に記載されているように、「サウンディング」波形を送信することである。つまり、この予約領域またはウィンドウは、ＰＡＰＲを低減するため、または送信をしないためにダウンリンク接続で使用することができ、サウンディング（既知の波形の送信）、ＰＡＰＲの低減、または送信をしないためにアップリンク接続で使用することができる。
【００３２】
「非情報搬送信号（non-information-carrying  signal）」は、受信器で処理されないサブチャリアの一部の送信を含み得る。これらのサブキャリアにはデータはエンコードされない。サブキャリアに適用される変調は、ＩＦＦＴ後に信号波形全体の変化を低減するものである。ＩＦＦＴの式は実質的には複数の正弦波形を足し合わせたものである。結果として、合成波形は振幅が大きく変動する。ＰＡＰＲ低減の背景にあるアイデアは、この変動を小さくすることである。１つの方法は、「不使用の」データサブキャリアを使用して、合成波形中の変動を低減することである。その方法では、変調して送信する際に、「不使用」データサブキャリアを、システム全体のＰＡＰＲを低減するように使用するが、これらの「不使用」サブキャリアを用いて受信器に情報を搬送することはない。よって、これらの「不使用」サブキャリアで送信される信号は、「非情報搬送信号」と呼ばれる。
【００３３】
サウンディング信号は、基本的には、受信器においてチャネル応答を特定するために用いる「周知」またはその他の「既知の」信号である。アイデアとしては、周知の信号を送信すれば（すなわち、受信器には何が送信されたか分かる）、チャネルにより生じた歪みを決定できるということである。よって、「チャネルサウンディング」という用語は、基本的にチャネルにサウンディングして、その特性を求める時に、かかる波形を送信する時に使用される。かかる信号は通常特殊な特性を有するように決められる。ＯＦＤＭの場合、周波数領域において振幅が一定となり、すべてのサブキャリアを同じ重みでサウンディングする（sound）ように設計されている。これにより、ノイズによりサウンディングプロセスに起こるエラーは、チャネル応答にわたり等しい重みを付けられる。また、ＯＦＤＭの場合、上記のように、ＰＡＰＲができるだけ小さくなるように、時間的に信号の振幅は一定であることが望ましい。
３．  利点のまとめ
上記の実施形態は、上位装置が、上記装置がＳＳまたはＭＳと低干渉または無干渉の通信を保証できる領域を作るために、下位デバイスが送信をしないウィンドウまたは領域を予約できるというコンセプトを示している。このコンセプトを実現（release）するメカニズムも提供する。
【００３４】
結果として以下の利点が得られる。
分散システム中の上位装置が下位デバイスをある程度制御して、干渉管理をすることができる。
これにより、分散制御の利益が得られるが、干渉の集中制御のメカニズムを提供し、これは単一（またはよりよい）周波数リユースを達成しようとするシステムでは必須である。
【００３５】
まとめると、BS(またはＲＳ)は、（特に、分散スケジューリングの場合には）下位ＲＳにダウンリンクとアップリンクの両方において非送信用にアクセスリンクの領域を予約するように指示する機能が必要である。これにより、ＢＳとその下位ＲＳによりカバーされたエリア内の干渉をある程度制御できる。それゆえ、２つのメッセージを考える。両方とも（ＤＬマップ及びＵＬマップ中の）Ｒリンクで搬送され、一方はＤＬアクセスリンクで使用しない領域を、もう一方はＵＬアクセスリンクで使用しない領域をＲＳに通知する。
【００３６】
Ｒ−ＤＬのＤＬマップは、ＲＳに非送信（non-transmission）の領域またはウィンドウを割り当てる、１つのＲＳにユニキャストされた、またはマルチキャストグループのＲＳにマルチキャストされたＭＲ＿ＤＬ＿Ｓａｆｅｔｙ＿Ｚｏｎｅ＿ＩＥを含む。ＭＲ−ＢＳは、すべてのＲＳ（またはＲＳのグループ）からの干渉を経験しているＲＳまたはＭＳからの干渉を経験しているＭＳへの送信に、このウィンドウまたは領域を利用できる。アップリンクにおける安全ゾーンアロケーションについても同じことが言える。Ｒ−ＤＬ中のＵＬマップは、ＵＬにおけるＲＳへの非送信の領域またはウィンドウをアロケーションして、ＭＲ−ＢＳへのＭＳの送信へのＵＬにおける干渉を防止する安全領域アロケーションを含み得る。
【００３７】
ＲＳは、ＭＲ−ＢＳと同様の方法で下位ＲＳにＩＥを発行して、そのＲＳに接続されたＭＳへの干渉を防止してもよい。
ＲＳ領域とシステム動作の詳細
上記のウィンドウ予約をどう使用するかの一例はＲＳ領域にある。
ＲＳ領域の画成
ＲＳ間の安全な通信を確保するため、ＢＳはダウンリンクサブフレームとアップリンクサブフレームに１つまたは複数のＲＳ領域をアロケーションする。この領域のサイズは、複数のＯＦＤＭシンボル（図２ａ）でもよいし、複数のスロット（図２ｂ）でもよい。
【００３８】
ＲＳの送受信にＲＳ領域を用いる。ＢＳとＭＳはＲＳ領域内では静かにし、干渉を回避する。ＲＳ領域アロケーションの好ましい規則は：
・ＲＳ領域を生成し、ＲＳ、ＢＳ、及びＭＳのサブフレームと同期させる。アロケーションとサイズはＢＳにより指示される。
・ＲＳ領域ではＭＳとＢＳは静かにしている。
・ＢＳは、どのＲＳがＲＳ領域内で送信する権利を有するか表示する。
・１つまたは複数のＲＳがＲＳ領域内で情報を送信できる。
・ダウンリンクサブフレームとアップリンクサブフレームの時間内に、複数のＲＳ領域をアロケーションできる。
【００３９】
このＲＳ領域の目的は次の通りである
ＲＳ間の情報（データとシグナリングを含む）交換；
ＲＳとＭＳとの間の情報（データとシグナリングを含む）交換；
ＲＳとＢＳとの間の情報（データとシグナリングを含む）交換；
チャネルセンシングと同期のための所定のシーケンスをＲＳ領域に加えてもよい。
ＲＳ領域をアロケーションするシステム動作
図３は、中継局（図３）がＲＳ領域を欲しいときのシグナリング図である。
【００４０】
図４において、ＲＳ１＃は、ＲＳ＿Ｒｎｇ＿ＲｅｑをＢＳに送信し、ＲＳ領域を要求している。ＲＳ領域内の送信に関するより多くの情報がこのメッセージに含められる。ＢＳは応答のためＲＳ＿Ｒｎｇ＿Ｒｓｐメッセージを送信する。ＢＳはＲＳ領域アロケーションを拒絶または承認する。ＲＳ領域内の送信に関するより多くの情報をこのメッセージに含められる。例えば、拒絶の理由、ＲＳ領域の位置及びタイミング情報、アクセス方法などである。ＢＳがＲＳ領域の要求を承認すると、対応するＲＳ領域はサブフレームにアロケーションされる。
【００４１】
ＲＳ領域は、ＲＳからの要求なしに、ＢＳに直接指定されてもよい。図５に示したように、ＢＳは、ＲＳ＿Ｒｎｇ＿Ｒｓｐメッセージを送信して、すべてのＲＳに対するＲＳ領域を命令してもよい。このメッセージにはより多くの情報を含められる。
【００４２】
マルチホップ中継システムでは、ＲＳ＿Ｒｎｇ＿ＲｅｑやＲＳ＿Ｒｎｇ＿Ｒｓｐ等のメッセージを中継して、マルチホップ中継局がＲＳ領域を要求できるようにしてもよい。
【００４３】
本発明の実施形態は、ハードウェアで実施してもよいし、１つ以上のプロセッサ上で動作するソフトウェアモジュールとして実施してもよいし、これらの組み合わせとして実施してもよい。すなわち、実際にはマイクロプロセッサまたはデジタルシグナルプロセッサ（ＤＳＰ）を用いて本発明を化体するトランスミッタの機能の一部または全部を実施してもよいことは、当業者には明らかであろう。本発明はここに開示した方法の一部または全部を実行するデバイスまたは装置のプログラム（例えば、コンピュータプログラム及びコンピュータプログラム製品）として化体してもよい。本発明を化体するかかるプログラムは、コンピュータ読み取り可能媒体に格納したものでもよく、例えば信号の形態であってもよい。かかる信号はインターネットのウェブサイトからダウンロード可能なデータ信号であっても、キャリア信号上の信号であっても、その他の形態であってもよい。
利点のまとめ
まとめると、実施形態の利点は以下の通りである：
・予約ウィンドウの柔軟性を改善することにより、ＯＦＤＭＡ（ＷｉＭＡＸ等）システムを改善する；
・ウィンドウを予約する実現可能な方法により、フレーム構成とネットワーク配置を柔軟にする；
・提案したウィンドウ予約方法のためにシグナリングメカニズムを設計した。これはＷｉＭＡＸ標準と互換性がある。
・集中アルゴリズムを分散様式にする、柔軟性を高める；分散システムはＢＳの計算負荷及びシグナリング付加を解消（release）することができる；
・提案した予約ウィンドウを、チャネルサウンディング、ハンドオーバー、ルーディングディスカバリ、及びメンテナンス等の複数の目的に用いることができる。
・ウィンドウ予約は中継システムにおいて干渉を回避する柔軟な方法である。
ＩＥＥＥ８０２．１６Ｅ−２００５へのＲＳアクセスダウンリンク安全領域の適用ウィンドウ予約コントリビューション
はじめに
分散制御［１］のマルチホップリレーベースネットワークにおいて、ＲＳはアクセスリンクのリソースアロケーションの責任を有し、ＲＳにおけるＤＬとＵＬマップ情報と関連ＩＥを構成する。その結果、ＭＲ−ＢＳ（またはその下のＲＳ）がＲＳにメッセージを送って、サービスするＳＳへの送信のためにＲＳにおけるアクセスダウンリンクの領域をアロケーションしないように命令させるメカニズムは存在しない。
ＭＲ−ＢＳ（またはＲＳ）に、アクセスダウンリンクにおける非送信用に予約された領域をＲＳに表示させるために、ＭＲ−ＢＳまたはＲＳからＲＳにＲリンク［２］で送信し、アクセスダウンリンクにおける予約すなわち「安全」領域を表示する新しいＤＬ−ＭＡＰ  ＩＥを提案する。ＲＳは、Ｒリンクで「ＲＳ＿ＤＬ＿Ｓａｆｅｔｙ＿Ｒｅｇｉｏｎ＿ＩＥ」を受信すると、次のＤＬサブフレームのアクセスＤＬ中のこの領域を予約する。
提案する本文
［セクション８．４．５．３．２．１のテーブル２７７ａの項目を以下のように変更：］
０A                        RS_Access_DL_Safety_Region_IE
０９-０A                        Reserved                            （一行削除）
［新しい従属節８．４．５．３．２９：］
８.４.５.３.２９                      RS_Access_DL_Safety_Region_IE
中継リンクにおけるＤＬマップにおいて、ＭＲ−ＢＳまたはＲＳはＲＳ＿Ａｃｃｅｓｓ＿ＤＬ＿Ｓａｆｅｔｙ＿Ｒｅｇｉｏｎ＿ＩＥ（）とともにＤＩＵＣ＝１５を送信し、次のＤＬサブフレーム中のＲＳアクセスＤＬにおいて非送信用に予約する領域の位置を示す。
【表１】
2010502074.tif 000019
【００４４】
以上の実施形態に関し、更に以下の付記を開示する。
（付記１）
マルチホップワイヤレス通信システムにおいて使用する送信方法であって、前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記システムは、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置から第２の装置への送信時間に使用する予約情報を送信する段階であって、前記第２の装置は前記中間装置の１つであり、前記予約情報は前記送信時間で予約すべき少なくとも１つの送信ウィンドウを指定する段階と、
前記第２の装置において、受信した予約情報に応じて、前記送信時間の指定されたウィンドウを予約する段階とを含む方法。
（付記２）
前記第１の装置は前記送信元装置である、付記１に記載の送信方法。
（付記３）
前記システムは少なくとも２つの中間装置を含み、前記第１の装置は前記中間装置の一方である、付記１に記載の送信方法。
（付記４）
前記第２の装置は前記第１の装置から前記一通信方向に前記経路に沿ってある、付記１ないし３いずれか一項に記載の方法。
（付記５）
前記システムは２つ以上の中間装置を有し、前記方法は、
前記予約情報を前記第２の装置を含む各中間装置に送信する段階と、
各中間装置において、受信した予約情報に応じて、前記送信時間の指定されたウィンドウを予約する段階とを含む、付記１ないし４いずれか一項に記載の方法。
（付記６）
前記第２の装置または前記中間装置における予約の結果として、前記装置が前記指定ウィンドウにおける他の送信と干渉しないように、前記送信時間の指定ウィンドウにおいて前記装置からの送信をしない段階を含む、付記１ないし５いずれか一項に記載の方法。
（付記７）
前記第２の装置または前記中間装置における予約の結果として、前記送信時間の指定ウィンドウにおいて前記装置から非情報搬送信号を送信する段階を含む、付記１ないし５いずれか一項に記載の送信方法。
（付記８）
ＰＡＰＲ低減方法において使用する前記非情報搬送信号を送信する段階を含む、付記７に記載の送信方法。
（付記９）
前記予約情報は制御情報であり、送信時間の所定ウィンドウにおいて前記第１の装置から前記第２の装置に送信される、付記１ないし８いずれか一項に記載の方法。
（付記１０）
前記送信時間の直前の送信時間に前記予約情報を送信する段階を含む、付記１ないし９いずれか一項に記載の方法。
（付記１１）
前記送信時間に前記予約情報を送信する段階を含む、付記１ないし１０いずれか一項に記載の送信方法。
（付記１２）
前記第１の装置からの前記予約情報の送信の前に、前記第１の装置が予約プロセスが要求されているか決定する段階と、
前記決定の結果に応じて、前記予約情報の送信を実行する段階とを含む、付記１ないし１１いずれか一項に記載の送信方法。
（付記１３）
前記第１の装置からの前記予約情報の送信の前に、前記第１の装置が予約情報の内容を判断する段階をさらに含む、付記１ないし１２いずれか一項に記載の送信方法。
（付記１４）
前記予約情報は前記送信時間を含む複数の送信時間で使用され、前記方法は前記複数の送信時間の各々の前記予約を実行する段階を含む、付記１ないし１３いずれか一項に記載の送信方法。
（付記１５）
前記複数の送信時間は連続した送信時間である、付記１４に記載の送信方法。
（付記１６）
前記予約情報は継続的な予約情報であり、前記方法は、前記継続的予約情報をキャンセルするデ・アロケーション情報を受信するまで、前記複数の送信時間の予約を順次実行する段階を含む、付記１４または１５に記載の送信方法。
（付記１７）
前記第２の装置に、場合によって各中間装置に、前記第１の装置から前記デ・アロケーション情報を送信する段階を含む、付記１６に記載の送信方法。
（付記１８）
システム情報に応じて前記第１の装置から前記デ・アロケーション情報をいつ送信するか決定する段階と、
その決定の結果に応じて前記デ・アロケーション情報を送信する段階とを含む、
付記１７に記載の送信方法。
（付記１９）
前記通信方向はダウンリンク方向であり、
前記送信先装置は、前記中間装置を介して前記送信元装置に前記通信経路に沿って前記ダウンリンク方向と逆のアップリンク方向で情報を送信でき、
前記中間装置は、前記経路に沿って前記アップリンク方向で前段装置から情報を受信し、前記経路に沿って前記アップリンク方向で後段装置に受信情報を送信するように動作可能であり、
前記時間周波数フォーマットは、前記アップリンク方向での送信に利用できる送信周波数帯域幅の割り当てにも使用される、付記１ないし１８いずれか一項に記載の送信方法。
（付記２０）
前記第２の装置における予約の結果として、前記第１の装置からの前記通信方向の前記経路に沿って位置する第３の装置からの送信を制御する、付記１９に記載の送信方法。
（付記２１）
前記制御は、前記第３の装置が前記送信時間の指定ウィンドウで送信しないように制御するものである、付記２０に記載の送信方法。
（付記２２）
前記制御は、前記第３の装置が前記送信時間の指定ウィンドウで非情報搬送信号を送信するように制御するものである、付記２０に記載の送信方法。
（付記２３）
前記第３の装置から送信される前記非情報搬送信号は、ＰＡＰＲ低減方法で利用される、付記２２に記載の送信方法。
（付記２４）
前記制御は、前記第３の装置が前記送信時間の指定ウィンドウでサウンディング方法に使用する既知の信号を送信するように制御するものである、付記２０に記載の送信方法。
（付記２５）
前記第２の装置から前記第３の装置に命令を送信することにより前記制御を行う、付記２０ないし２４いずれか一項に記載の送信方法。
（付記２６）
前記第３の装置は前記送信先装置である、付記２０ないし２５いずれか一項に記載の送信方法。
（付記２７）
前記第１の装置からの前記予約情報の送信の前に、前記第２の装置から前記第１の装置に、かかる予約情報の要求を送信する段階をさらに含む、付記１９ないし２６いずれか一項に記載の送信方法。
（付記２８）
前記予約情報は予約する少なくとも２つの送信ウィンドウを指定し、前記送信ウィンドウの一方は前記ダウンリンク方向の送信用であり、他方は前記アップリンク方向の送信用である、付記１９ないし２７いずれか一項に記載の送信方法。
（付記２９）
前記第２の装置は、前記送信元装置から前記経路に沿った前記装置の少なくとも１つに、かかる送信時間に、かかる送信ウィンドウのアロケーションを行う、付記１ないし２８いずれか一項に記載の送信方法。
（付記３０）
前記予約情報は第１の予約情報であり、前記送信時間は第１の送信時間であり、前記方法は、さらに、
前記第１の予約情報の送信の後、前記第２の装置に前記第１の装置から前記第１の送信時間の後の第２の送信時間に使用する、前記第１の予約情報とは異なる第２の予約情報を送信する段階と、
前記第２の装置において、受信した第２の予約情報に応じて、前記第２の送信時間の指定されたウィンドウを予約する段階とを含む、付記１ないし２９いずれか一項に記載の送信方法。
（付記３１）
前記第２の送信時間内に前記第２の予約情報により指定された少なくとも１つのウィンドウの位置は、前記第１の送信時間内の前記第１の予約情報により指定された少なくとも１つのウィンドウの位置とは異なる、付記３０に記載の送信方法。
（付記３２）
前記時間周波数フォーマットは、時間分割多重または周波数分割多重通信システムにおけるダウンリンク及び／またはアップリンクサブフレームのフォーマットである、付記１ないし３１いずれか一項に記載の送信方法。
（付記３３）
前記システムはＯＦＤＭまたはＯＦＤＭＡシステムであり、前記時間周波数フォーマットはＯＦＤＭまたはＯＦＤＭＡ時間分割多重フレームのＯＦＤＭまたはＯＦＤＭＡダウンリンク及び／またはアップリンクサブフレームのフォーマットである、付記１ないし３２いずれか一項に記載の送信方法。
（付記３４）
各離散送信時間はサブフレーム期間である、付記１ないし３３いずれか一項に記載の送信方法。
（付記３５）
各送信ウィンドウはＯＦＤＭまたはＯＦＤＭＡフレーム構成の領域である、付記１ないし３４いずれか一項に記載の送信方法。
（付記３６）
各送信ウィンドウはＯＦＤＭまたはＯＦＤＭＡフレーム構成のゾーンを含む、付記１ないし３５いずれか一項に記載の送信方法。
（付記３７）
前記送信元装置は基地局である、付記１ないし３６いずれか一項に記載の送信方法。
（付記３８）
前記送信元装置はユーザ端末である、付記１ないし３６いずれか一項に記載の送信方法。
（付記３９）
前記送信先装置は基地局である、付記１ないし３８いずれか一項に記載の送信方法。
（付記４０）
前記送信先装置はユーザ端末である、付記１ないし３９いずれか一項に記載の送信方法。
（付記４１）
前記中間装置は中継局である、付記１ないし４０いずれか一項に記載の送信方法。
（付記４２）
マルチホップワイヤレス通信システムであって、
前記システムは送信元装置と、送信先装置と、１つまたは複数の中間装置とを有し、
前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、
前記システムは、離散的な送信時間において前記一通信方向での送信に利用できる送信周波数帯域を割り当てるのに使用する時間・周波数フォーマットにアクセス可能するように動作可能なアクセス手段を有し、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、
前記システムは、前記装置のうちの第１の装置に設けられた、前記装置のうちの第１の装置から第２の装置への送信時間に使用する予約情報を送信する送信手段であって、前記第２の装置は前記中間装置の１つであり、前記予約情報は前記送信時間で予約すべき少なくとも１つの送信ウィンドウを指定する送信手段と、
前記第２の装置に設けられた、前記第２の装置において、受信した予約情報に応じて、前記送信時間の指定されたウィンドウを予約する予約手段とを含むシステム。
（付記４３）
マルチホップワイヤレス通信システムのコンピューティング装置において実行されると、前記システムに送信方法を実行させるコンピュータプログラムであって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記システムは、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置から第２の装置への送信時間に使用する予約情報を送信する段階であって、前記第２の装置は前記中間装置の１つであり、前記予約情報は前記送信時間で予約すべき少なくとも１つの送信ウィンドウを指定する段階と、
前記第２の装置において、受信した予約情報に応じて、前記送信時間の指定されたウィンドウを予約する段階とを含むコンピュータプログラム。
（付記４４）
マルチホップワイヤレス通信システムの一中間装置において使用する送信方法であって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置からかかる送信時間に使用する、前記送信時間の予約すべき少なくとも１つの送信ウィンドウを指定する予約情報を受信する段階と、
受信した予約情報に応じて、前記送信時間の指定されたウィンドウを予約する段階とを含む方法。
（付記４５）
マルチホップワイヤレス通信システムの一中間装置であって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、
離散的な送信時間において前記一通信方向での送信に利用できる送信周波数帯域を割り当てるのに使用する時間・周波数フォーマットにアクセス可能するように動作可能なアクセス手段を有し、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、
各ウィンドウは送信に使用する前記装置の１つへの送信時間に割り当て可能であり、
前記装置のうちの第１の装置からかかる送信時間に使用する、前記送信時間の予約すべき少なくとも１つの送信ウィンドウを指定する予約情報を受信手段と、
受信した予約情報に応じて、前記送信時間の指定されたウィンドウを予約する予約手段とを含む装置。
（付記４６）
マルチホップワイヤレス通信システムの一中間装置のコンピューティング装置において実行されると、前記一中間装置に送信方法を実行させるコンピュータプログラムであって、
前記システムは送信元装置と、送信先装置と、１つまたは複数の中間装置とを有し、前記送信元装置は、前記送信元装置から前記送信先装置に前記中間装置を介して伸びる通信経路を形成する一連のリンクに沿って一通信方向に情報を送信するように動作可能であり、前記中間装置は、前記経路に沿って前段装置から情報を受け取り、前記経路に沿って後段装置に受信情報を送信するように動作可能であり、前記一中間装置は、離散的な送信時間において前記一通信方向での送信に利用できる送信周波数帯域を割り当てるのに使用する時間・周波数フォーマットにアクセス可能であり、前記フォーマットはかかる時間内の複数の送信ウィンドウを画成し、各ウィンドウはその時間の異なる部分を占め、その時間のその部分にわたる前記利用可能周波数帯域内の周波数帯域幅プロファイルを有し、各ウィンドウは送信に使用する前記装置の１つへの送信時間に割り当て可能であり、前記方法は、
前記装置のうちの第１の装置からかかる送信時間に使用する、前記送信時間の予約すべき少なくとも１つの送信ウィンドウを指定する予約情報を受信する段階と、
受信した予約情報に応じて、前記送信時間の指定されたウィンドウを予約する段階とを含むコンピュータプログラム。
（付記４７）
明細書に記載、または図面に図示した実施形態の方法、システム、中間装置、コンピュータプログラム。
【国際調査報告】
2010502074.tif 000020
2010502074.tif 000021
2010502074.tif 000022